(57)【要約】 【課題】  照射範囲の異なる二種類の光による照明を行なうことができる、小型且つ簡易な構成の車両室内照明装置を提供する。【解決手段】  光源と該光源の光を収斂する集光レンズとを備える光源ユニットと、前記光源ユニットの光放出側に備えられる光透過性カバーであって、第１状態のときに第１位置となり、第２状態のときに第２位置となり、前記第１位置のときに前記光源ユニットの光が照射する領域に光拡散処理が施されている光透過性カバーと、を備える照明装置とする。光透過性カバーが第１状態ときには、光源ユニットの光は光透過性カバーにおいて光拡散処理を施された領域に照射する。したがって、光拡散処理を受けた後に外部に放出されることとなり、光透過性カバーが第２状態のときに比較してより広範囲の照明光が得られる。【選択図】  図１
2005082106.tif 000002
【特許請求の範囲】
【請求項１】
光源と該光源の光を収斂する集光レンズとを備える光源ユニットと、
前記光源ユニットの光放出側に備えられる光透過性カバーであって、第１状態のときに第１位置となり、第２状態のときに第２位置となり、前記第１状態のときに前記光源ユニットの光が照射する領域に光拡散処理が施されている光透過性カバーと、
を備える照明装置。
【請求項２】
前記光透過性カバーが、前記第２状態のときに前記光源ユニットの光が照射する領域に集光レンズを備える、請求項１に記載の照明装置。
【請求項３】
前記光透過性カバーが前記第２状態のときには、前記光透過性カバーを介することなく前記光源の光が外部に放出される、請求項１に記載の照明装置。
【請求項４】
光源ユニットと、
前記光源ユニットの光放出側に備えられる光透過性カバーであって、第１状態のときに第１位置となり、第２状態のときに第２位置となり、前記第１状態のときに前記光源ユニットの光が照射する領域に光拡散処理が施され、前記第２状態のときに前記光源ユニットの光が照射する領域に集光レンズを備える光透過性カバーと、
を備える照明装置。
【請求項５】
前記光源ユニットが可動式であって、前記光透過性カバーが前記第１状態のときに第１位置となり、前記光透過性カバーが前記第２状態のときに第２位置となる、請求項１〜４のいずれかに記載の照明装置。
【請求項６】
前記光源ユニットに使用される光源がLEDである、請求項１〜５のいずれかに記載の照明装置。
【発明の詳細な説明】
【技術分野】
【０００１】
本発明は照明装置に関する。本発明の照明装置は、車両室内を照明することに好適に利用される。
【背景技術】
【０００２】
自動車室内用の照明装置としてルームランプが使用されているが、これに加えて、特定の領域をスポット的に照明することに利用されるランプ（以下、「スポット照明ランプ」という）が用いられるようになってきている。スポット照明ランプは例えば、運転者又は乗員の手元を照明することで地図等を参照する際の明かりを提供することに利用される。ルームランプには比較的広い範囲を照明できることが必要とされる一方で、スポット照明ランプには限られた領域のみを照明できることが要望される。このようにルームランプとスポット照明ランプでは求められる照明範囲が異なることから、従来はルームランプ用の光源とスポット照明ランプ用の光源とをそれぞれ用意し、そしてレンズを用いるなどして各ランプの照明範囲を個別に制御していた。
一方、特許文献１には、一つの光源によって照明範囲の異なる二種類の照明光を得ることが可能な車両用照明装置が提案されている。この照明装置では、第１の状態のときには光源の光をレンズによって集光してスポットライト的照明光を得るとともに、第２の状態の時には反射鏡を利用するなどして光源の光を、光源の背後に設置された導光板に導いて間接照明光を得ている。
【０００３】
【特許文献１】特開平０６−２７８５３０号公報
【発明の開示】
【発明が解決しようとする課題】
【０００４】
上記のようにルームランプとスポット照明ランプに別々の光源を用いて照明装置を構成した場合には、各光源用のスペースをそれぞれ確保する必要があり結果として照明装置のサイズが拡大化してしまう。また、光源数が増大することに伴い、装置全体の構成も複雑化する。さらに、各光源用の配線が必要となることから照明装置を設置する際の配線数が増加し、作業性の低下を引き起こす。
一方、特許文献１に開示される照明装置では一つの光源によって二種類の照明光が得られるものの、照明範囲の広い光として間接光が利用されていることから、例えば車両のルームランプに求められるような十分な照度が得られない。また、導光板用のスペースを光源の背後に確保する必要があることから、特に奥行き方向に関して装置の小型化が制限を受ける。従って、車両の天井など、奥行き方向に十分な長さを確保することが困難な場所における照明装置としては適当ではなかった。
【課題を解決するための手段】
【０００５】
本発明は以上の課題を解決するために、以下の構成を提供する。即ち、
光源と該光源の光を収斂する集光レンズとを備える光源ユニットと、
前記光源ユニットの光放出側に備えられる光透過性カバーであって、第１状態のときに第１位置となり、第２状態のときに第２位置となり、前記第１状態のときに前記光源ユニットの光が照射する領域に光拡散処理が施されている光透過性カバーと、
を備える照明装置（第１の構成）である。また、
光源ユニットと、
前記光源ユニットの光放出側に備えられる光透過性カバーであって、第１状態のときに第１位置となり、第２状態のときに第２位置となり、前記第１状態のときに前記光源ユニットの光が照射する領域に光拡散処理が施され、前記第２状態のときに前記光源ユニットの光が照射する領域に集光レンズを備える光透過性カバーと、
を備える照明装置（第２の構成）である。
【発明の効果】
【０００６】
本発明では、二つの状態（位置）をとることができる可動式光透過性カバーが使用される。第１の構成では、光透過性カバーが第１状態ときに光源ユニットの光は光透過性カバーにおいて光拡散処理を施された領域に照射する。したがって、光源ユニットの光が光拡散処理を受けた後に外部に放出されることとなり、広範囲の照明光が得られる。このように、光透過性カバーが第２状態のときに比較して、光透過性カバーが第１状態のときにはより広範囲の照明光が得られる。
一方、第２の構成では、光透過性カバーが第２状態のときに光源ユニットの光は光透過性カバーに備えられた集光レンズを介して外部に放出される。したがって、集光された光が放出される。このように、光透過性カバーが第１状態のときに比較して、光透過性カバーが第２状態のときにはより狭い範囲の照明光が得られる。
以上のように、本発明の構成によれば照射範囲の異なる二種類の照明光を、照明光ごとに別々の光源を用いることなく作り出すことができる。したがって、光源用のスペースが少なくてよく、照明装置を小型に構成できる。また、使用する光源数の減少によって、装置の構成が簡略化される。また、光源数の減少によって配線数も減少し、照明装置を設置する際の作業性も向上する。
また、本発明の構成では第１状態及び第２状態のいずれの状態においても、カバーを介して取り出された光が直接、照明光として利用される。従って、集光された狭い範囲の光と広範囲の光とがともに十分な照度になるとともに、照明装置の一層の小型化・薄型化が達成される。
尚、光透過性カバーが第１状態のときの光は、運転席及び助手席、或いは後部座席など比較的広い範囲を対象とした照明に利用できる。他方、光透過性カバーが第２状態のときの光は、乗員の手元やセンターコンソールの一部、或いは乗員の足元など、比較的狭い範囲を対象とした照明に利用できる。
【発明を実施するための最良の形態】
【０００７】
以下、本発明を構成する各要素について説明する。
（光源ユニット）
光源ユニットには少なくとも一つの光源が使用される。光源としてはLED（発光ダイオード）、電球（バルブ）、蛍光灯、冷陰極管などを用いることができる。中でもLEDを採用することが好ましい。LEDは小型であることから、LEDを光源として用いれば光源用のスペースが少なくてすみ、本発明の照明装置をより小型に構成することができる。小型に構成できれば、照明装置のハンドリング性も向上するという利点もある。一方、LEDは消費電力及び発熱量が小さいことから省エネルギー化の要請にも応えるものである。更には、長寿命であることからメンテナンスの面でも有利となる。加えてLEDは振動、衝撃に強いことから信頼性の高い照明装置を構成できるといった利点もある。LEDの種類は特に限定されず、砲弾型（レンズ型）、チップ型等、種々のものを採用できる。
必要とされる照明色に応じて適切な発光色の光源が採用される。例えば、白色系、黄色系、緑色系、青色系、アンバー系などの発光色の光源を使用する。好ましい発光色としては、白色系ないし黄色系、或いはアンバー系を挙げることができる。白色系ないし黄色系の光源を採用すれば照明効果（視認性）の高い照明となる。一方、アンバー系の光源を採用すれば落着いた雰囲気や高級感のある雰囲気などを演出することが可能となる。
【０００８】
紫外線領域の光を発光する光源を使用し、併せて光源の光を受けて蛍光する蛍光体を使用することとしてもよい。この場合には例えば、後述の光透過性カバーの表面に蛍光体を含む層を形成する。このような蛍光体を含む層は蛍光体含有インク若しくは塗料の印刷、塗布などにより又は蛍光体を含むシートの貼着などによって形成することができる。また、蛍光体を光透過性カバー内に含有させることもできる。このような構成では光透過性カバー内で蛍光が生じ、この蛍光が光透過性カバーの光放出面から放出されることによって照明が行われる。
【０００９】
蛍光体の種類は特に限定されず、有機系、無機系を問わず採用することができる。有機系の蛍光体を用いることによりクリアー感のある蛍光色の光を得ることができる。他方、無機系の蛍光体を用いると艶消し感のある蛍光色の光を得ることができる。様々な蛍光色を有する蛍光体を採用することができ、例えば光の三原色である赤色、緑色、又は青色の蛍光色を有する蛍光体の他、それらの中間色を蛍光する蛍光体を用いることができる。複数の蛍光体を組み合わせて用いることもでき、例えば赤色系蛍光体、緑色系蛍光体、及び青色系蛍光体を混合して用いることができる。
【００１０】
複数個の光源を用いて光源ユニットを構成してもよい。この場合、同種の光源を複数用いることも、発光色などの異なる光源を組み合わせて用いることもできる。複数個の光源を用いることにより照度の増強あるいは光の混色による様々な発光色の照明といった効果を得ることができる。尚、光源の使用数は各光源の輝度、求められる照度等を総合的に考慮して定めることができる。複数個の光源を用いる例として、赤色系LED、緑色系LED、及び青色系LEDの３種を併用するものを挙げることができる。このような光源によれば各LEDの混色によって白色光を得ることができる。また各LEDの発光状態、発光量を制御すれば所望の色の光を得ることもできる。
【００１１】
本発明の一態様では、光源の光を収斂する集光レンズが光源ユニットに備えられる。この態様では集光レンズの作用によって光束の狭い光が光源ユニットから放出される。
【００１２】
本発明の一態様では、光源ユニットが可動式であって少なくとも二つの状態を採り得る。この態様では、後述の光透過性カバーの状態に対応して、光源ユニットの位置が少なくとも第１位置（光透過性カバーが第１状態のとき）と第２位置（光透過性カバーが第２状態のとき）となる。このように本発明の一態様では光源ユニットの位置が変化することを特長とするが、本発明における「光源ユニットの位置の変化」には、光源ユニットの光照射方向のみが変化することも含まれるものとする。
【００１３】
光源ユニットの可動方式としては機械式（スプリング式、バネ式、スクリュー式、ネジ式、カム式など）及び電動式（モータ及びギアによる可動）を例示できる。光源ユニットの状態は、スライド、回転、或いはスライド及び回転の組み合わせなどによって切替えられる。
【００１４】
（光透過性カバー）
光源ユニットの光放出側に光透過性カバーが備えられる。光透過性カバーの材質は、光源ユニットの光に対して透過性であれば特に限定されない。好ましくは透明（無色透明、有色透明を含む）な材料により光透過性カバーを構成する。また、加工が容易で耐久性に優れた材料により光透過性カバーを構成することが好ましい。具体的には例えば、アクリル樹脂、ポリエチレンテレフタレート（PET）、ポリカーボネート樹脂、エポキシ樹脂、ガラス等を材料として光透過性カバーを形成することができる。
【００１５】
光透過性カバーは可動式であって少なくとも二つの状態を採る。即ち、光透過性カバーはその位置を変化させることによって少なくとも第１状態（第１位置）と第２状態（第２位置）となる。光透過性カバーの可動方式としては機械式（スプリング式、バネ式、スクリュー式、ネジ式、カム式など）及び電動式（モータ及びギアによる可動）を例示できる。光透過性カバーの状態は、スライド、回転、或いはスライド及び回転の組み合わせなどによって切替えられる。
【００１６】
光透過性カバーにおいて、第１状態のときに光源ユニットの光が照射する領域には光拡散処理が施されている。したがって、光透過性カバーが第１状態のときには、光源ユニットから放出される光の一部は光透過性カバーを通過する際に拡散される。その結果、光透過性カバーの外表面（光放出面）から照射範囲の広い光が放出される。また、光透過性カバーの拡散作用によって光密度分布の均一化が図られることから、照度ムラの少ない光による照明が可能となる。
【００１７】
光透過性カバーにおける光拡散処理は、光透過性カバーの表面に規則的又は不規則的なパターンの凹凸（溝）を形成することや、光透過性カバーの表面に光拡散性フィルムを貼付することなどによって行われる。尚、光拡散性カバーの表面に光拡散処理を施すのではなく、光透過性カバー内に光拡散剤（例えばシリカゲルや酸化チタン）を含有させることによって光透過性カバー内において光拡散効果が得られるようにしてもよい。
【００１８】
光透過性カバーにおいて、第２状態のときに光源ユニットの光が照射する領域には光拡散処理が施されていないことが好ましい。このように構成することによって、光透過性カバーが第２状態のときには光源ユニットの光は光透過性カバーによって拡散されることなく外部に放出されることとなる。つまり、光源ユニットの光が拡散作用を受けることなく外部放射光として利用される。
【００１９】
光透過性カバーが第２状態のときに一層集光した光を得るために、光透過性カバーにおいて、第２状態のときに光源ユニットの光が照射する領域に集光レンズを設けることが好ましい。かかる構成では、光透過性カバーが第２状態のときに光源ユニットの光が集光レンズによる集光作用を受けて外部に放出されることとなる。したがって、照射範囲が一層絞られた光による照明が可能となる。このように、光透過性カバーによって光源ユニットの光の照射範囲を制御してもよい。
【００２０】
光源ユニットから広範囲の光が放出される場合（即ち、光源ユニットが集光レンズを備えていない場合）には、光透過性カバーにおいて、第２状態のときに光源ユニットの光が照射する領域に集光レンズが設けることが好ましい。かかる構成では、光透過性カバーが第２状態のときに光源ユニットから放出される光は集光レンズによって集光された後に外部に放出される。その結果、光透過性カバーの外表面（光放出面）から照射範囲の狭い光が放出される。このように、この態様では光透過性カバーによって光源ユニットの光の照射範囲が制御される。
【００２１】
光透過性カバーが第２状態のときに光源ユニットの光放出側が開放される構成としてもよい。このような構成では、光透過性カバーが第２の状態のときに光透過性カバーを介することなく光源ユニットの光が外部に放出される。
【００２２】
（切替スイッチ）
光透過性カバーの状態を切替えるためのスイッチ（切替スイッチ）が使用される。即ち、切替スイッチの操作によって光透過性カバーが第１状態から第２状態、又は第２状態から第１状態へと切替えられる。切替スイッチは照明装置に備えられてもよいし、或いは照明装置とは別に備えられてもよい。
切替スイッチは、照明装置を設置した際に使用者の操作に支障のない位置に備えられる。切替スイッチが照明装置に備えられる構成を採用する場合には例えば、照明装置の前面又は側面に切替スイッチが設けられる。
切替スイッチを照明装置の電源スイッチと兼用することもできる。即ち、電源のオンオフと照明モードの切替えとを一つのスイッチによって行うこととしてもよい。例えば、プッシュ式のスイッチとし、スイッチを押すごとに照明装置の電源オン（拡散モード）、拡散モードから集光モードへの変換、及び照明装置の電源オフと順に移行するように設定することができる。
光透過性カバーの状態を変えるための機構を照明装置が備える構成としてもよく、この場合には切替スイッチを別途設ける必要はない。
【実施例１】
【００２３】
本発明の実施例を図１及び図２に示す。図１は車両室内用照明装置１（以下、「照明装置１」という）がルームランプモード時の状態を示す図であって、図１ａは斜視図、図１ｂは図１ａのＡ−Ａ線断面図である。図２は照明装置１がマップランプモード時の状態を示す図であって、図２ａは斜視図、図２ｂは図２ａのＢ−Ｂ線断面図である。
照明装置１は、筐体１０、光源ユニット２０、及びカバー３０を備える。筐体１０は片側が開口した中空の部材であって、光を透過しない樹脂（本実施例ではグレーに着色された樹脂）でできている。
筐体１０には、その開口部に隣接する位置にガイド部１１が備えられる。ガイド部１１は、カバー３０がスライドする際のガイドとして機能するとともに、カバー３０の脱落を防止する。ガイド部１１の下部には、カバー３０を駆動するためのギア１２が備えられる。ギア１２はモータ（図示せず）に接続されており、これらの部材によってカバー３０が横方向にスライド可能となっている。
筐体１０内には光源ユニット２０が収納される。光源ユニット２０にはレンズ型LED２１が三個内蔵されている。この実施例では各LED２１のレンズ頂点を結ぶ直線が正三角形を形成するように各LED２１を配置している。LEDの配置態様はこれに限られず、また使用するLEDの数についても必要とされる照度などを基準として任意に選択できる。本実施例で使用されるLED２１はいずれも白色系ないし黄色系の発光色を有する。各LED２１は、所定の配線パターン及び制御回路等が形成された基板に設置されており、図示しない配線を介して給電される。尚、照明装置１の使用時には、照明装置１と離れた位置（例えば運転席周りのパネルやセンターコンソール）に電源スイッチ（図示せず）及びモード切替スイッチ（図示せず）が設置される。
【００２４】
光源ユニット２０の光放出側を被覆するようにしてカバー３０が筐体１０に装着される。カバー３０は光透過性樹脂製であって、平板状の形状を有する。カバー３０の内表面には光拡散処理３１が施されている。この実施例ではサンドブラストによって不規則な微細な溝を形成している。
上記のギア１２に対応するように、カバー３０の下端面には鋸歯状の溝３２が規則的に形成されている。カバー３０の外表面側には図示縦方向に連なる突起部３３が形成されている。この突起部３３は、図１の状態において筐体ガイド部１１の一部と嵌合した状態にある。このように、当該突起部３３はカバー３０の位置決めに利用される。
【００２５】
照明装置１は例えば自動車ルーフ部に、その筐体１０部分が埋設された状態で設置される。
【００２６】
次に、照明装置１の照明態様について説明する。まず初期状態（電源オフ）では、カバー３０が筐体１０の開口部を覆った状態（図１、第１状態）にある。この状態において電源スイッチを操作して照明装置１をオンにすると、光源ユニット２０が給電されて各LED２１が点灯する。各LED２１から放出された光はカバー３０の内表面に照射し、そこで拡散作用を受ける。その結果、カバー３０の外表面（光放出面）からは照射範囲の広い光が放出される（ルームランプモード）。次にモード切替スイッチを操作してマップランプモードへ切替えると、ギア１２が回転してカバー３０が図１において右方向へと移動し、光源ユニット２０の光放出側が開放される（図２）。この状態では、光源ユニット２０の光は直接外部に放出される。したがって、LED自体のレンズの作用によって集光された光が放出されることとなり、照明範囲の狭い光による照明が行われる（マップランプモード）。
【００２７】
カバー３０の移動に伴って又は独立して光源ユニット２０の照射角度が変化するようにしてもよい。
【００２８】
尚、電源スイッチの操作によって、カバー３０の位置に関係なく光源ユニット２０のオンオフが切替わる。したがって例えば、光源ユニット２０が消灯状態にあり、カバー３０がマップランプモード位置にあるときに電源スイッチを操作すれば、ルームランプモードを経ることなくマップランプモードの照明が行なわれる。
【００２９】
以上の実施例ではレンズ型LEDを使用しているが、これに代えてSMDタイプ（表面実装型）のLEDを使用してもよい。この場合にはLEDの光放出方向に集光レンズを設置し、LEDの光が一旦集光した後にカバーに照射するように構成することが好ましい。LEDを複数使用する場合には集光レンズをLEDごとに設けてもよく、又は複数個のLEDの光を集光することが可能な集光レンズを使用してもよい。
【実施例２】
【００３０】
本発明の他の実施例を図３及び図４に示す。図３は車両室内用照明装置２（以下、「照明装置２」という）がルームランプモード時の状態を示す図であって、図３ａは斜視図、図３ｂは図３ａのＣ−Ｃ線断面図である。図４は照明装置１がマップランプモード時の状態を示す図であって、図４ａは斜視図、図４ｂは図４ａのＤ−Ｄ線断面図である。尚、これらの図面において上記各図面と同一の部材には同一の符号を付してその説明を省略する。
照明装置２は、筐体１３、光源ユニット２０、カバー３５、及びスイッチ４０を備える。筐体１３は、光を透過しない樹脂製（本実施例ではグレーに着色された樹脂）であって、その一部に円形の開口部を有する。
筐体１０内には光源ユニット２０が収納される。一方、光源ユニット２０の光放出側を被覆するようにして筐体１０の開口部にカバー３０が装着される。カバー３０は光透過性樹脂製であって、片側が開口した筒状の形状を有する。カバー３０において光源ユニット２０の光放出側に対向する領域３６の内表面には光拡散処理３１が施されている。一方、カバー３５の側部３７には開口部３８が設けられている。
照明装置２は、図示しないスライド機構を備え、これによってカバー３５が前後方向にスライド可能となっている。
【００３１】
スイッチ４０はプッシュ式スイッチであって、光源ユニット２０のオンオフ、及びカバー３５の状態を切替える。スイッチ操作と照明モードとの関係については以下に詳しく説明する。尚、照明装置１と同様に照明装置２は自動車ルーフ部に設置されて使用される。
【００３２】
以下、照明装置２の照明態様について説明する。まず初期状態（電源オフ）では、カバー３５が収納状態（第１状態）にあり、一方で光源ユニット２０はその光放出側を正面に向けている（図３）。尚、光源ユニット２０へは給電されず、光源ユニット２０内のLED２１は消灯状態である。この状態においてスイッチ４０を一回押すと、光源ユニット２０が給電され、光源ユニット２０内のLED２１が点灯する。そして光源ユニット２０から放出された光は、カバー３５の光拡散処理３１が施された領域３６に照射する。その結果、光拡散作用が奏され、カバー３５の外表面からは照射範囲の広い光が放出される（ルームランプモード）。この状態においてスイッチ４０を押すことにより、マップランプモードへと切替えられる。まず、上記スライド機構が作動してカバー３５が前方へとスライドし、ストッパ部３９を残して筐体１３から飛び出た状態となる（図４、第２状態）。この動作に連動して光源ユニット２０は点灯状態を維持しつつ軸２３を中心に９０°回転する。その結果、光源ユニット２０の前方にカバー側部３７の開口部３８が位置する。この状態では、LED２１から放出された指光性の高い光が開口部３８を介して外部に放出される。したがって、スポット的な光による照明が行われる（マップランプモード）。続いてスイッチ４０を押すと、カバー３５が後方へとスライドし、筐体１３内に収納される。この動作に連動して光源ユニット２０は逆方向に９０°回転してもとの状態に戻る。同時に光源ユニット２０への給電が停止し、光源ユニット２０は消灯状態となる。
【実施例３】
【００３３】
本発明の他の実施例を図５及び図６に示す。図５は車両室内用照明装置３（以下、「照明装置３」という）がルームランプモード時の状態を示す図であって、図５ａは斜視図、図５ｂは図５ａのＥ−Ｅ線断面図である。図６は照明装置３がマップランプモード時の状態を示す図であって、図６ａは斜視図、図６ｂは図６ａのＦ−Ｆ線断面図である。尚、これらの図面において上記各図面と同一の部材には同一の符号を付してその説明を省略する。
照明装置３は、筐体１４、光源ユニット２０、及びカバー５０を備える。筐体１４は、光を透過しない樹脂製（本実施例ではグレーに着色された樹脂）であって、その一部に矩形の開口部を有する。この開口部を利用してカバー５０が装着される。カバー５０はその側壁５２が略扇形の中空部材であって、光透過性樹脂により構成されている。カバー５０の正面部５１の内表面には光拡散処理３１が施されている。
照明装置３では、カバー５０内に光源ユニット２０が収納される。光源ユニット２０は図示しない回転機構によって回転可能な状態でカバー５０に固定されている。
カバー５０の一端側には回転軸５４が備えられている。この回転軸５４は、図示しないギア及びモータに接続されており、これらの部材によって構成される回転機構によってカバー５０は、回転軸５４を備える側を固定端として所定範囲内で回転可能となっている。
尚、筐体１４にカバー５０を一時的に固定するためのプッシュ式ロック機構（図示せず）が備えられている。
【００３４】
次に、照明装置３の照明態様について説明する。まず初期状態（電源オフ）では、カバー５０が筐体１４内に収納された状態（図５、第１状態）にある。尚、カバー５０は、図示しないプッシュ式ロック機構によって筐体１４に一時的に固定されている。この状態において電源スイッチ（図示せず）を操作して照明装置３をオンにすると、光源ユニット２０が給電されて各LED２１が点灯する。各LED２１から放出された光は、カバー５０の正面部５１に向かい、その内表面に照射する際に光拡散処理３１によって拡散作用を受ける。その結果、カバー５０の正面部５１の外表面（光放出面）から照射範囲の広い光が放出される（ルームランプモード）。
続いて、カバー５０のスイッチ部５３を後方へと押すと、上記のロック機構が解除されてカバー５０が回転軸５４を中心として回転し、その結果、片側が前方へと飛び出た状態となる（図６、第２状態）。この動作に連動して光源ユニット２０は点灯状態を維持しつつ９０°回転してその照射方向をカバー５０の側部５２へと変える（図６）。この状態では、LED２１から放出された指光性の高い光が光拡散作用を受けることなく外部に放射される。したがって、スポット的な光による照明が行われる（マップランプモード）。続いてカバー５０のスイッチ部５３を押してカバー５０を元の位置に戻すと、これに連動して光源ユニット２０が逆方向に９０°回転してもとの状態に戻る。同時に光源ユニット２０への給電が停止し、光源ユニット２０は消灯状態となる。
【００３５】
尚、電源スイッチの操作によって、カバー５０の位置に関係なく光源ユニット２０のオンオフが切替わる。したがって例えば光源ユニット２０が消灯状態にあり、カバー５０がマップランプモード位置にあるときに電源スイッチを操作すれば、ルームランプモードを経ることなくマップランプモードの照明が行なわれる。
【実施例４】
【００３６】
本発明の他の実施例を図７に示す。図７は車両室内用照明装置４（以下、「照明装置４」という）の斜視図であって、図７ａには照明装置４がルームランプモード時の状態が示され、図７ｂには照明装置４がマップランプモード時の状態が示される。尚、これらの図面において上記各図面と同一の部材には同一の符号を付してその説明を省略する。
照明装置４は、筐体１５、光源ユニット２５、及びカバー５５を備える。筐体１５は片側が開口した中空の部材であって、光を透過しない樹脂（本実施例ではグレーに着色された樹脂）でできている。
筐体１５内には光源ユニット２５が収納される。光源ユニット２５にはレンズ型LED２６が１個内蔵されている。LED２６は青系発光ダイオードチップを３個と、LEDチップの周りに配される黄色系蛍光体と、及びレンズとによって構成されている。各LEDチップから放出された光の一部は蛍光体によって黄色光へと変換される。その結果、LEDチップの青色光と蛍光体による黄色光とが混色することによって得られる白色の光がLED光として放出される。レンズは全てのLEDを覆うよう備えられており、各LEDチップから放出された光（及び蛍光体の光）はこのレンズによって収斂された後に放出される。LED２６は、所定の配線パターン及び制御回路等が形成された基板に設置されており、図示しない配線を介して給電され、またスイッチ（図示せず）による点灯制御を受ける。
【００３７】
光源ユニット２５の光放出側を被覆するようにして筐体１５の開口部にカバー５５が装着される。カバー５５はその一端を軸に回動（開閉）可能な状態でカバー５５に固定される。カバー５５は光透過性樹脂製であって、平板状の形状を有する。カバー５５の内表面には光拡散処理３１が施されている。
尚、閉じた状態でカバー５５を筐体１５に一時的に固定するためのプッシュ式ロック機構（図示せず）が備えられている。
【００３８】
次に、照明装置４の照明態様について説明する。まず初期状態（電源オフ）では、カバー５５が筐体１５の開口部を覆った状態（図７ａ、第１状態）にある。この状態において電源スイッチを操作して照明装置４をオンにすると、光源ユニット２５が給電されてLED２６が点灯する。LED２６から放出された光はカバー５５の内表面に照射し、そこで拡散作用を受ける。その結果、カバー５５の外表面（光放出面）からは照射範囲の広い光が放出される（ルームランプモード）。
続いて、カバー５５のスイッチ部５６を後方へと押すと、上記のロック機構が解除されてカバー５５が開き、光源ユニット２５の光放出側が開放される。この状態では、光源ユニット２５の光は直接外部に放出される。したがって、LED自体のレンズの作用によって集光された光が放出されることとなり、照明範囲の狭い光による照明が行われる（マップランプモード）。
【実施例５】
【００３９】
本発明の他の実施例を図８及び図９に示す。図８は車両室内用照明装置５（以下、「照明装置５」という）がルームランプモード時の状態を示す図であって、図８ａは斜視図、図８ｂは図８ａのＧ−Ｇ線断面図である。図９は照明装置５がマップランプモード時の状態を示す図であって、図９ａは斜視図、図９ｂは図９ａのＨ−Ｈ線断面図である。尚、これらの図面において上記各図面と同一の部材には同一の符号を付してその説明を省略する。
照明装置５は、筐体１６、光源ユニット２０、カバー６０、電源スイッチ７０、及びモード切替スイッチ７１を備える。筐体１６は光を透過しない樹脂製（本実施例ではグレーに着色された樹脂）であって、カバー６０用開口部、及び各スイッチ用開口部を備える。
筐体１０内には光源ユニット２０が収納、固定される。一方、光源ユニット２０を内包するようにカバー６０が筐体１６に装着される。尚、図８及び図９に示されるように、カバー６０はその一部（光放出部）を外部に露出した状態で筐体１６に装着されることとなる。カバー６０は光透過性樹脂製であって、その断面の外形は略扇形を有する（図８ｂを参照）。カバー６０の光放出部は二つの領域からなり、第１領域６１ではその内表面に光拡散処理３１が施されている。他方の第２領域６２は凸レンズ形状に形成されている。カバー６０は、光放出部と対極に位置する部分において、回転軸６３を介して筐体１６に固定されている。この回転軸６３は切替スイッチ７１に連絡しており、切替スイッチ７１を上下に回転させればその動きに連動してカバー６０が上下に回転する。
電源スイッチ７０はプッシュ式スイッチであって、光源ユニット２０内のＬＥＤ２１の点灯状態を切替えることに使用される。
【００４０】
次に、照明装置５の照明態様について説明する。まず初期状態（電源オフ）では、カバー６０の第１領域６１が外部に露出した状態、即ち光源ユニット２０の光放出側をカバー６０の第１領域６１が覆った状態となっている（図８、第１状態）。この状態において電源スイッチ７０を操作して照明装置５をオンにすると、光源ユニット２０が給電されて各LED２１が点灯する。各LED２１から放出された光はカバー６０の第１領域６１に照射し、そこで拡散作用を受ける。その結果、カバー６０の第１領域６１の外表面（光放出面）からは照射範囲の広い光が放出される（ルームランプモード）。次に切替スイッチ７１を操作して（回転させて）カバー６０の第２領域６２が外部に露出した状態、即ち光源ユニット２０の光放出側をカバー６０の第２領域６２が覆った状態とすると、マップランプモードへと切換わる。このマップランプモードでは、光源ユニット２０から放出された光はカバー６０の第２領域６２を介して外部に放出される。したがって、カバー６０を通過する際に、凸レンズによる集光作用を受けることとなり、得られる照明光は照射範囲の狭いものとなる。このようにマップランプモードでは、LED２１自体のレンズの作用によって集光された光が更に集光されて放出されることとなるから、一層照明範囲の絞られたスポット的な光による照明が行なわれる。
【００４１】
尚、電源スイッチ７０の操作によって、カバー６０の位置に関係なく光源ユニット２０のオンオフが切替わる。したがって例えば、光源ユニット２０が消灯状態にあり、カバー６０がマップランプモード位置にあるときに電源スイッチを操作すれば、ルームランプモードを経ることなくマップランプモードの照明が行なわれる。
【００４２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【００４３】
１１．前記光透過性カバーが、横方向にスライド可能に備えられている、請求項１〜６のいずれかに記載の照明装置。
１２．前記光透過性カバーが、前後方向にスライド可能に備えられている、請求項１〜６のいずれかに記載の照明装置。
１３．前記光透過性カバーが、所定範囲内を回動可能に備えられている、請求項１〜６のいずれかに記載の照明装置。
【産業上の利用可能性】
【００４４】
本発明の照明装置は、広狭二種類の照明が必要とされる場所において使用可能である。したがって、自動車など車両の室内照明として、又は居室用照明などとしてその利用が図られる。
【図面の簡単な説明】
【００４５】
【図１】図１は、本発明の実施例である車両室内用照明装置１のルームランプ時の状態を示す図である。図１ａは斜視図、図１ｂは図１ａのＡ−Ａ線断面図である。
【図２】図２は、車両室内用照明装置１のマップランプ時の状態を示す図である。図２ａは斜視図、図２ｂは図２ａのＢ−Ｂ線断面図である。
【図３】図３は、本発明の他の実施例である車両室内用照明装置２のルームランプ時の状態を示す図である。図３ａは斜視図、図３ｂは図３ａのＣ−Ｃ線断面図である。
【図４】図４は、車両室内用照明装置２のマップランプ時の状態を示す図である。図４ａは斜視図、図４ｂは図４ａのＤ−Ｄ線断面図である。
【図５】図５は、本発明の他の実施例である車両室内用照明装置３のルームランプ時の状態を示す図である。図５ａは斜視図、図５ｂは図５ａのＥ−Ｅ線断面図である。
【図６】図６は、車両室内用照明装置３のマップランプ時の状態を示す図である。図６ａは斜視図、図６ｂは図６ａのＦ−Ｆ線断面図である。
【図７】図７は、本発明の他の実施例である車両室内用照明装置４を示す斜視図である。図７ａはルームランプ時の状態を示す図であり、図７ｂマップランプ時の状態を示す図である。
【図８】図８は、本発明の他の実施例である車両室内用照明装置５のルームランプ時の状態を示す図である。図８ａは斜視図、図８ｂは図８ａのＧ−Ｇ線断面図である。
【図９】図９は、車両室内用照明装置５のマップランプ時の状態を示す図である。図９ａは斜視図、図９ｂは図９ａのＨ−Ｈ線断面図である。
【符号の説明】
【００４６】
１、２、３、４、５  車両室内用照明装置
１０、１３、１４、１５、１６  筐体
１１  ガイド部
２０、２５  光源ユニット
２１、２６  LED
３０、３５、５０、５５、６０  光透過性カバー
３１  光拡散処理
６２  凸レンズ部
【図１】
2005082106.tif 000003
【図２】
2005082106.tif 000004
【図３】
2005082106.tif 000005
【図４】
2005082106.tif 000006
【図５】
2005082106.tif 000007
【図６】
2005082106.tif 000008
【図７】
2005082106.tif 000009
【図８】
2005082106.tif 000010
【図９】
2005082106.tif 000011